(57)【特許請求の範囲】
【請求項１】
ハウジングの一側面に設けられ、着脱可能なメモリが挿入される挿脱口と、
上記ハウジング内に配設され、上記メモリを支持するホルダと、
上記ホルダの上記挿脱口とは反対側の端部に設けられ、上記ホルダに挿入された上記メモリの端子部と電気的に接続されるコネクタと、
上記メモリをイジェクトするイジェクト機構と、
上記イジェクト機構にて上記ホルダが上記メモリの排出方向に移動されたことを検出するイジェクト検出スイッチによって、上記メモリの排出指示がされたか否かを判別する判別手段と、
上記判別手段にてイジェクト指示が判別された場合に警告表示信号を出力する制御手段と、
上記警告表示信号に応じて警告表示を行う警告表示手段とを備え、
上記メモリが上記ハウジング内の装着位置に装着された状態で、上記メモリの挿入方向を長手方向とした端子部の挿脱口側で電気的に接続されるように、上記コネクタに端子部が設けられ、
上記メモリに対して、データを記録している場合において、上記イジェクト機構により上記メモリのイジェクト操作が行われたとき、上記メモリの端子部と上記コネクタの端子部との電気的接続が維持され、
上記制御手段は、上記データを記録している状態において、上記ホルダがイジェクト位置に移動されて上記イジェクト検出スイッチがオフで、記録処理が完了していないとき、上記警告表示手段により、上記メモリに対して記録状態である警告表示を行い、データ記録終了処理を完了させる記録再生装置。
【請求項２】
上記メモリは、不揮発性メモリであることを特徴とする請求項１記載の記録再生装置。
【請求項３】
上記イジェクト機構により上記メモリのイジェクト操作が行われた状態で上記端子部と上記コネクタとの電気的接続を維持することによって、上記イジェクト機構のイジェクト操作が操作された状態で上記メモリへのデータの記録を可能としてなる請求項１記載の記録再生装置。
【請求項４】
上記制御手段は、上記判別手段によって排出指示が判別されたとき、上記メモリの管理領域を更新する請求項１記載の記録再生装置。
【発明の詳細な説明】
【０００１】
【発明の属する技術分野】
本発明は、不揮発性メモリなどの固体記憶素子を搭載したメモリを記録媒体に用いる記録再生装置に関し、特に、メモリが着脱可能とされた記録再生装置に関する。
【０００２】
【従来の技術】
従来、パーソナルコンピュータ等の情報処理装置で取り扱われるデータの記録再生装置や、オーディオデータやビデオデータの記録再生装置として、不揮発性メモリなどの固体記憶素子を搭載したメモリを記録媒体に用いる記録再生装置が提案されている。
【０００３】
この種の記録再生装置にあっては、各種の情報を自在に選択して記録しあるいは再生することを可能とするため、メモリを交換可能にしたものが提案されている。固体記憶素子を搭載して構成したメモリは、このメモリに設けた接点を記録再生装置側に設けたコネクタに電気的に接続するのみで記録再生装置との間でデータの交換が可能である。
【０００４】
そこで、この種のメモリを用いる記録再生装置は、光ディスクや磁気ディスクなどのディスクを記録媒体に用いる記録再生装置のように、複雑なローディング機構などを用いることなく簡単な機構でメモリの着脱を行うことが可能となる。例えば、メモリは、装置本体に設けた挿脱口を介して差し込み操作するのみで、記録再生装置との間で電気的な接続を図った装着を行うことができる。
【０００５】
このように、単に差し込み操作のみによって記録再生装置への装着が行われるメモリは、装置本体から抜き取り操作することにより簡単に装置本体から取り出すことができる。
【０００６】
【発明が解決しようとする課題】
固体記憶素子を搭載して構成したメモリを用いる記録再生装置は、メモリの着脱を容易に行うことができるので、ディスクを用いる記録再生装置などに比し一層の操作性の向上を図ることが可能である。この種の記録再生装置は、メモリの着脱が容易に行える一方で、誤ってメモリをイジェクト操作してしまうような誤操作を生じやすい。
【０００７】
ところで、この種のメモリを用いた記録再生装置において記録再生されるデータとして、オーディオデータやビデオデータなどそのデータの内容に時間的に連続性があり、記録データとして時間的に連続して供給されてくるデータであるストリームデータがある。この種のストリームデータの記録にあたっては、少なくとも一つのまとまりを有する単位データの記録の終了時に、そのデータの記録位置を示すアドレスデータなどのデータであるＴＯＣ（Table of Contents）データを更新する必要がある。このようなストリームデータの記録にあたっては、ＴＯＣデータの更新が行われないと、記録中にあったデータがメモリに存在しないものとして取り扱われ、実質的にデータの記録が行われないものとなってしまう。
【０００８】
そして、ストリームデータのようなデータの記録中に、メモリが誤ってイジェクトされてしまうと、ＴＯＣデータの記録が行われることなく記録動作が終了し、データの記録が行われない状態となってしまう。さらに、データの記録が行われないばかりか、記録再生装置に送信されたデータを再現不能としてしまう。
【０００９】
そこで、本発明の目的は、メモリの着脱を容易に行うことを可能としながら、データの記録中に誤ってメモリがイジェクトされることを防止し、確実にデータの記録を行うことを可能となす記録再生装置を提供することにある。
【００１０】
本発明の他の目的は、メモリのイジェクト操作が行われても、メモリへのデータの記録動作を継続することができる記録再生装置を提供することにある。
【００１１】
本発明のさらに他の目的は、データの記録中に、誤ってメモリがイジェクトされることを確実に防止することができる記録再生装置を提供することにある。
【００１２】
【課題を解決するための手段】
上述したような目的を達成するため、本発明に係る記録再生装置は、ハウジングの一側面に設けられ、着脱可能なメモリが挿入される挿脱口と、ハウジング内に配設され、メモリを支持するホルダと、ホルダの挿脱口とは反対側の端部に設けられ、ホルダに挿入されたメモリの端子部と電気的に接続されるコネクタと、メモリをイジェクトするイジェクト機構と、イジェクト機構にてホルダがメモリの排出方向に移動されたことを検出するイジェクト検出スイッチによって、メモリの排出指示がされたか否かを判別する判別手段と、判別手段にてイジェクト指示が判別された場合に警告表示信号を出力する制御手段と、警告表示信号に応じて警告表示を行う警告表示手段とを備え、メモリが上記ハウジング内の装着位置に装着された状態で、メモリの挿入方向を長手方向とした端子部の挿脱口側で電気的に接続されるように、コネクタに端子部が設けられ、メモリに対して、データを記録している場合において、イジェクト機構によりメモリのイジェクト操作が行われたとき、メモリの端子部とコネクタの端子部との電気的接続が維持され、制御手段は、データを記録している状態において、ホルダがイジェクト位置に移動されてイジェクト検出スイッチがオフで、記録処理が完了していないとき、警告表示手段により、メモリに対して記録状態である警告表示を行い、データ記録終了処理を完了させる。ここでメモリには、不揮発性メモリが用いられる。
【００１５】
また、本発明に係る記録再生装置は、さらにイジェクト機構にてメモリの排出指示がされたか否かを判別する判別手段と、この判別手段にて排出指示が判別された場合にメモリの管理領域を更新する制御手段を備えてなる。
【００１６】
【発明の実施の形態】
以下、本発明に係る記録再生装置を図面を参照して説明する。
【００１７】
本発明に係る記録再生装置は、パーソナルコンピュータ等の情報処理装置で取り扱われるデータや、オーディオデータやビデオデータなど時間的に連続性を有するストリームデータを記録再生するために用いられるものであって、図１及び図２に示すような板状に形成されたメモリ１を記録媒体に用いる。この板状メモリ１は、合成樹脂をモールド成型したメモリ本体を構成する筐体２を備え、この筐体２の内部に、例えば３２メガバイト以上の大きな記憶容量を有する不揮発性メモリ等の固体メモリ素子が設けられている。メモリ１は、例えば、図１に示すように、短辺の長さＷ１を略２１．４５ｍｍとなし、長辺の長さＬ１を略５０ｍｍとなし、厚さＤ１を略２．８ｍｍとなす略矩形状に形成されている。
【００１８】
板状メモリ１を構成する筐体２の一方の短辺側である前面２ａ側には、図１及び図２に示すように、前面２ａから底面２ｂに亘るように、端子部３が形成されている。この端子部３には、互いに仕切り壁３ａに分離された複数の電極３ｂが設けられている。筐体２内に設けられたメモリ素子に対するデータの記録又は再生動作は、端子部３に設けられた電極３ｂを介して行われる。
【００１９】
また、筐体２の端子部３が形成された前面２ａ側の一方のコーナ部には、図１及び図２に示すように、円弧状に切り欠かれた記録再生装置への挿入方向を示す切り欠き部４が設けられている。筐体２の切り欠き部４が形成された側の一方の側面２ｃには、図２に示すように、筐体２の底面側を開放した誤挿入防止溝５が切り欠き部４に連続して形成されている。この切り欠き部４及び誤挿入防止溝５は、板状メモリ１を記録再生装置に装着するとき、記録再生装置に対する挿入方向を規制して誤挿入を防止するためのものである。
【００２０】
筐体２の底面２ｂ側には、端子部３の近傍に位置して、誤って情報信号を半導体メモリに記録することを防止する誤記録防止スイッチ６が設けられている。誤記録防止スイッチ６は、筐体２内の操作子に連結され、一方にスライドされたとき、データの記録を可能となし、他方にスライドされたとき、新たなデータが重ね記録されないようにしている。また、筐体２の一方の側面２ｃには、記録再生装置に挿入されたとき、記録再生装置側に設けた係合保持部に係合して記録再生装置からの脱落を防止する係合凹部７が形成されている。また、筐体２の他方の側面２ｄ側の略中央部には、装着検出用凹部８が形成されている。この装着検出用凹部８は、記録再生装置側に設けられる検出部が係合することによって、板状メモリ１の記録再生装置への装着の有無を検出する。
【００２１】
板状メモリ１の筐体２には、図１及び図２に示すように、平面２ｅ側から背面２ｆに亘り、さらに底面２ｂ側に亘って、ラベル１０を貼着するためのラベル貼着部９が設けられている。
【００２２】
上述のように構成された板状メモリ１が記録媒体として用いられる記録再生装置１１は、図３及び図４に示すように、合成樹脂を成形した上下一対のハウジング半体１２ａ，１２ｂを突き合わせ結合した装置本体を構成するハウジング１２を備えている。
【００２３】
ハウジング１２内には、板状メモリ１が挿入保持されるホルダ１３が配設されている。ホルダ１３は、図５及び図６に示すように、ハウジング１２内に配設されるシャーシ１４上に移動可能に取り付けられている。
【００２４】
シャーシ１４に移動可能に配設されるホルダ１３は、図５及び図６に示すように、相対向する両側に一対のメモリ支持部１６，１７が設けられている。このホルダ１３の開放された一端側は、このホルダ１３に装脱される板状メモリ１の挿脱部１８とされる。ホルダ１３の挿脱部１８が設けられた一端側に対向する他端側には、このホルダ１３に挿入される板状メモリ１に設けた端子部３が電気的に接続されるコネクタ１９が取り付けられている。コネクタ１９は、図５に示すように、板状メモリ１の端子部３を構成する複数の電極３ｂにそれぞれ電気的に接続される複数の端子からなる第１の端子群２０が設けられている。第１の端子群２０は、コネクタ１９の内方端側に位置にして設けられている。また、コネクタ１９には、図示しないが記録再生装置側に設けられた接続端子に電気的に接続されて記録再生装置１内に設けられる信号処理回路と板状メモリ１内のメモリとの間で記録又は再生されるデータの授受を行うための複数の端子からなる第２の端子群が設けられている。この第２の端子群は、第１の端子群２０を介して板状メモリ１と電気的に接続される。
【００２５】
上述のように構成されたホルダ１３は、シャーシ１４上に載置するようにして、図５及び図６中矢印Ａ方向及び矢印Ｂ方向に移動可能に配設される。このとき、ホルダ１３は、図示しない移動ガイド軸をシャーシ１４側に設けた移動ガイド孔に係合支持することによってシャーシ１４からの脱落が防止され、シャーシ１４上を図５中矢印Ａ方向及び矢印Ｂ方向に移動可能に取り付けられる。
【００２６】
ホルダ１３とシャーシ１４との間には、図示しないが、ホルダ１３の図５中矢印Ａ方向又は矢印Ｂ方向への移動を制御するトグルバネが取り付けられている。ホルダ１３は、板状メモリ１の記録再生装置１１への挿脱を可能となす図５に示す初期位置にある状態から板状メモリ１がホルダ１３に挿入され、図５中矢印Ａ方向に移動され、シャーシ１４の途中位置まで移動されると、トグルバネの付勢方向が反転することにより、トグルバネの付勢力を受けて図５中矢印Ａ方向にさらに移動され所定のメモリ装着位置に移動される。
【００２７】
また、ホルダ１３は、メモリ装着位置に移動された状態から、図５中矢印Ｂ方向に移動され、シャーシ１４の途中位置まで移動されると、トグルバネの付勢方向が反転することにより、トグルバネの付勢力を受けて図５中矢印Ｂ方向にさらに移動され板状メモリ１の挿脱を可能とするイジェクト位置に移動される。
【００２８】
板状メモリ１が挿入され、記録再生装置１１内のメモリ装着位置に移動されたホルダ１３は、シャーシ１４の一方の側壁１４ａ上に移動可能に支持されたイジェクト機構を構成するイジェクトレバー２１が図５中矢印Ｃ１方向に移動操作されることにより、図５中矢印Ｂ方向に移動され、挿脱位置に移動される。すなわち、このイジェクト機構は、イジェクトレバー２１が板状メモリ１をホルダ１３に挿入する方向と同方向に移動操作されてホルダ１３に挿入保持された板状メモリ１のイジェクト操作を行うように構成されている。
【００２９】
なお、イジェクトレバー２１は、イジェクトレバー２１とシャーシ１４の一方の側壁１４ａとの間に張設された引っ張りコイルバネ２２の付勢力を受けて図５中矢印Ｃ２方向に移動付勢されている。
【００３０】
ところで、本発明に係る記録再生装置は、図５に示すように、ホルダ１３のイジェクト状態を検出するイジェクト検出スイッチ２３を備えたイジェクト検出機構を備えている。このイジェクト検出機構を構成するイジェクト検出スイッチ２３は、ホルダ１３が図６に示すように、記録再生装置内の装着位置に移動されたときにホルダ１３によって押圧操作されてオン状態となり、イジェクトレバー２１が操作されてホルダ１３が図５に示すイジェクト位置に移動されたときオフ状態となる位置に設けられている。すなわち、イジェクト検出スイッチ２３は、ホルダ１３の移動方向に対向してシャーシ１４の下面側に配設されるフレキシブル配線基板２４上に取り付けられている。
【００３１】
ホルダ１３の移動位置を検出してホルダ１３がイジェクト位置にあるか否かを検出するイジェクト検出スイッチ２３の検出出力は、図７に示すように、この記録再生装置の操作モードなどを制御する制御回路部２８に入力される。この制御回路部２８は、イジェクト検出スイッチ２３がホルダ１３によって操作され、この検出スイッチ２３がオン状態とされると、記録再生装置を記録操作モード又は再生操作モードを選択可能な状態とする。
【００３２】
また、制御回路部２８は、記録再生装置が記録操作モードが選択された状態で、イジェクトレバー２１が操作されてホルダ１３が図５に示すイジェクト位置に移動されイジェクト検出スイッチ２３がオフ状態になったとき、記録再生装置に設けられる表示部２９及び／又は警告音発生デバイス３０に警告表示信号を出力する。ここで、警告音発生デバイス３０には、記録再生装置に設けられるスピーカを兼用して用いることができる。
【００３３】
上述のようにシャーシ１４上に移動可能に取り付けられたホルダ１３は、挿脱部１８をハウジング１２の背面側に設けたメモリ挿脱口３１に対向させてハウジング１２内に配設される。
【００３４】
この記録再生装置１１の装置本体を構成するハウジング１２の長手方向に亘る中央部より前面側に位置する一端側には、図３及び図４に示すように、液晶表示体等に構成された表示部２９が設けられている。この表示部２９には、記録再生装置１１の操作モードやデータの記録状態や、記録操作モードが選択された状態で板状メモリ１のイジェクト操作が行われたときに制御回路部２８から出力される警告表示信号に基づいく警告表示などが表示される。また、ハウジング１２の長手方向に亘る中央部より背面側に位置する他端側には、図３及び図４に示すように、ハウジング１２内に配設されたホルダ１３を外方に臨ませる窓部３３が設けられている。
【００３５】
この記録再生装置１１にあっては、図３に示すように、ハウジング２の一方の側面側に、この記録再生装置１１の操作モードを選択する選択操作部３６が設けられている。選択操作部３６は、ハウジング１２内に設けた回動支点を中心にして、回動操作されて記録再生装置１１の記録モードや再生モード等の操作モードを選択し、ハウジング１２の側面に直交する方向に押圧操作されることにより、選択された操作モードを決定する。また、選択操作部３６が設けられたハウジング１２の一方の側面の中央部には、選択された操作モードを固定するホールド釦３７が設けられている。
【００３６】
ハウジング２の他方の側面側には、図４に示すように、ハウジング２内に配設されたホルダ１３のイジェクト操作を行うイジェクトレバー２１に連結されたイジェクト操作釦３８が図４中矢印Ｃ１方向及び矢印Ｃ２に移動可能に取り付けられている。このイジェクト操作釦３８は、図４中矢印Ｃ１方向に移動操作されることにより、ホルダ１３をイジェクト操作し、このホルダ１３に挿入保持された板状メモリ１を、図３に示すように、メモリ挿脱口３１を介してハウジング１２の外方に突出させる。
【００３７】
本発明に係る記録再生装置は、操作モードを選択する選択操作部３６をハウジング１２の中央部より一端側に位置する部分に設け、イジェクト操作釦３８をハウジング１２の中央部より他端側に位置する部分に設けているので、記録再生装置１１を片手で把持したとき、選択操作部３６に手指を臨ませると、イジェクト操作釦３８が手指により操作しにくい位置に置かれ、イジェクト操作釦３８を操作するように手指を位置させると、選択操作部３６が手指により操作しにくい置かれるので、データの記録又は再生中に誤ってイジェクト操作釦３８を操作して記録再生装置１１に装着された板状メモリ１１をイジェクトしてしまうような誤操作を回避することができる。
【００３８】
上述のように構成された記録再生装置１１に板状メモリ１を装着する状態及び記録再生装置１１に装着された板状メモリ１をイジェクトする状態を説明する。
【００３９】
板状メモリ１を記録再生装置１１に装着するには、イジェクト操作釦３８を操作してホルダ１３を図５に示すようにハウジング１２の挿脱口３１側に位置にするイジェクト位置に移動しておく。ここで、板状メモリ１を端子部３が設けられた側を挿入端として挿脱口３１を介してハウジング１２内に挿入すると、板状メモリ１は、図５に示すように、イジェクト位置に移動されたホルダ１３に保持される。板状メモリ１をハウジング１２内に挿入した後、さらに板状メモリ１をハウジング１２内に挿入すると、ホルダ１３は板状メモリ１とともに図５中矢印Ａ方向の装着位置方向に移動する。ホルダ１３が装着位置まで移動され、さらに板状メモリ１がハウジング１２内に挿入されると、板状メモリ１は端子部３をコネクタ１９に設けた第１の端子群２０との電気的な接続が図られてホルダ１３に一体化されて図６に示す装着位置に装着される。
【００４０】
また、ホルダ１３が装着位置まで移動されると、第２の端子群が記録再生装置側に設けられた接続端子に電気的に接続されて記録再生装置１内に設けられる信号処理回路と板状メモリ１内のメモリとの間で記録又は再生されるデータの授受が行われる状態となる。
【００４１】
板状メモリ１が挿入され、板状メモリ１とともに装着位置までホルダ１３が挿入されると、イジェクト検出スイッチ２３がホルダ１３の一部又はこのホルダ１３に装着された板状メモリ１の一部によって押圧操作され、板状メモリ１がメモリ装着位置に装着されたことが検出される。
【００４２】
ところで、板状メモリ１は、ホルダ１３に保持されてメモリ装着位置に装着されたとき、端子部３の各電極３ｂがコネクタ１９の第１の端子群２０を構成する端子２０ａに電気的に接続されるとともに端子部３がコネクタ１９に機械的に嵌合して一体化された状態におかれる。したがって、板状メモリ１は、記録再生装置に装着された状態では、端子部３がコネクタ１９に電気的に接続された状態でホルダ１３とともに一体に移動可能な状態にある。
【００４３】
そこで、本発明に係る記録再生装置においては、図６に示すように、板状メモリ１がホルダ１３とともにメモリ装着位置にある状態で、イジェクト操作釦３８が図４中矢印Ｃ２方向に移動されることによりホルダ１３が図５中矢印Ｂ方向に移動される場合にも、板状メモリ１は端子部３をコネクタ１９に電気的に接続した状態でホルダ１３とともに一体に移動される。そして、ホルダ１３が図５に示すように板状メモリ１の挿脱を可能とするイジェクト位置に移動され、板状メモリ１の一部が図３に示すようにメモリ挿脱口３１から突出された状態となされた場合でも、板状メモリ１をメモリ挿脱口３１から抜き取らない限りコネクタ１９への電気的な接続が図られた状態におけられる。
【００４４】
したがって、本発明に係る記録再生装置は、板状メモリ１を一旦メモリ装着部に装着した場合には、イジェクト操作が行われたとしても、板状メモリ１はホルダ１３に設けたコネクタ１９を介して記録再生装置側のデータ記録再生回路に電気的に接続された状態にあって、データの記録又は再生を可能とする状態におかれる。
【００４５】
なお、上述のようにホルダ１３に差し込むのみでコネクタ１９に機械的且つ電気的に接続した状態にある板状メモリ１は、イジェクト操作が行われ、ホルダ１３とともにイジェクト位置側に移動されるとき、コネクタ１９から抜け出る方向に僅かに移動される可能性がある。そこで、コネクタ１９側に設けられる第１の端子群２０を構成する端子２０ａの長さＬ１を、図８に示すように、板状メモリ１の端子部３を構成する電極３ｂの長さＬ２より長尺に形成する。板状メモリ１がメモリ装着位置に装着されたとき、電極３ｂが第１の端子群２０を構成する端子２０ａの基端部側にまで嵌合するように構成することにより、板状メモリ１が図５中矢印Ｂ方向のイジェクト方向に移動され、コネクタ１９から抜け出る方向に移動されても、確実にコネクタ１９との電気的な接続を図った状態を確保できる。
【００４６】
また、本発明に係る記録再生装置は、ホルダ１３に板状メモリ１が挿入され、ホルダ１３がメモリ装着位置に装着されたことがイジェクト検出スイッチ２３によって検出されると、図７に示すように、その検出出力がこの記録再生装置の操作モードなどを制御する制御回路部２８に入力され、記録再生装置を記録操作モード又は再生操作モードを選択可能な状態とする。ホルダ１３がメモリ装着位置に装着されたことが検出されたところで、記録操作モードが選択されると、板状メモリ１にこの記録再生装置に送信されるストリームデータなどのデータの記録が行われ、再生操作モードの選択が行われることにより板状メモリ１に記録されたストリームデータなどのデータの再生が行われる。
【００４７】
そして、本発明に係る記録再生装置は、データの記録が行われる記録操作モードが選択されると、図９に示すように、ステップ１（Ｓ１）で記録操作モードにあることが制御回路部２８で検出される。記録操作モードが選択されると、ステップ２（Ｓ２）において、ホルダ１３がイジェクト操作された否かが検出される。イジェクト操作釦３８が図４中矢印Ｃ２方向に移動されることによりホルダ１３が図５中矢印Ｂ方向に移動され、ホルダ１３が図５に示すように板状メモリ１の挿脱を可能とするイジェクト位置に移動され、イジェクト検出機構構成するイジェクト検出スイッチ２３がオフにされたことがステップ２（Ｓ２）によって検出されると、制御回路部２８は、ステップ３（Ｓ３）において、データの記録終了処理が行われたか否かを判別する。このデータ記録終了処理は、メモリ１に記録されるデータの記録位置を示すアドレスデータなどのデータであるＴＯＣ（Table of Contents）データを更新することであり、このＴＯＣデータがメモリ１のＴＯＣ記録エリアに記録されたか否かが判別される。ステップ３（Ｓ３）において、データ記録終了処理が行われたことが制御回路部２８で検出されない場合には、制御回路部２８は、ステップ４（Ｓ４）で板状メモリ１の記録再生装置からの抜き取りを警告する警告音を鳴らす警告音発生信号を出力し、警告音発生デバイス３０を駆動し警告音を発生する。さらに、制御回路部２８は、警告音発生信号の出力と同時にステップ５（Ｓ５）において、板状メモリ１の記録再生装置からの抜き取りを警告する警告表示を表示させる警告表示信号を出力し、表示部２９に警告表示を表示させる。
【００４８】
そして、この記録再生装置は、上述したように、板状メモリ１がホルダ１３とともにメモリ装着位置に装着されると、この状態でイジェクト操作が行われたとしても、板状メモリ１はホルダ１３に設けたコネクタ１９を介して記録再生装置側のデータ記録再生回路に電気的に接続された状態にあって、データの記録又は再生を可能とする状態におかれる。そこで、ユーザは、警告音や警告表示が行われたときには、データ記録終了処理が終了していないことを認識し、ステップ６（Ｓ６）において、データ記録終了処理を完了させた後、メモリ１の記録再生装置からの抜き取りを行う。すなわち、イジェクト操作が行われたとしても、板状メモリ１にストリームデータなどのデータの記録とＴＯＣデータの更新を行うことができ、確実にデータの記録を行うことができる。
【００４９】
次に、板状メモリ１に対するデータの記録について、図１０に示すフローチャートを参照しながら説明する。
【００５０】
制御回路部２８は、板状メモリ１が挿入保持されるホルダ１３の位置を検出するホルダ位置検出スイッチ２３により板状メモリ１が挿入保持されたホルダ１３がメモリ装着位置に移動されたことが検出されると、ステップＳ１１において、板状メモリ１の記録領域のルートディレクトリに、ファイル名が「ＴＥＭＰＴＥＭＰ」であり、識別子が「ＴＭＰ」であるファイル（以下、ＴＥＭＰＴＥＭＰ．ＴＭＰファイル）を作成して、ステップＳ１２に進む。なお、ＴＥＭＰＴＥＭＰ．ＴＭＰファイルの使用目的については、後述する。
【００５１】
次に、ステップＳ１２において、制御回路部２８は、書込先の領域（エリア）を消去して、ステップＳ１３に進む。すなわち、板状メモリ１は、例えば電気的に消去書込可能なメモリ素子である不揮発性メモリを用いて構成されているので、所謂上書きができないので、制御回路部２８は、オーディオデータを保存する領域を予め消去して、オーディオデータの書込に備える。
【００５２】
ステップＳ１３において、制御回路部２８は、書込処理を開始して、ステップ１４に進む。
【００５３】
ステップＳ１４において、制御回路部２８は、例えばユーザがストップボタンを押して書込終了の操作を行ったかを判定し、該当しない（Ｎｏ）ときはステップＳ１５に進み、該当する（Ｙｅｓ）ときはステップＳ１８に進む。
【００５４】
ステップＳ１５において、制御回路部２８は、例えばユーザがレコードボタンを押して書込操作を行ったかを判定し、該当するときはステップＳ１６に進み、該当しないときはステップＳ１４に戻る。すなわち、制御回路部２８は、ステップＳ１４−ステップＳ１５−ステップＳ１４のループにおいて、ユーザが書込又は終了の操作を行うまで、待機する。
【００５５】
ステップＳ１５において、制御回路部２８は、例えばユーザがレコードボタンを押して書込操作を行ったかを判定し、該当するときはステップＳ１６に進み、該当しないときはステップＳ１４に戻る。すなわち、制御回路部２８は、ステップＳ１４−ステップＳ１５−ステップＳ１４のループにおいて、ユーザが書込又は終了の操作を行うまで、待機する。
【００５６】
ステップＳ１６において、制御回路部２８は、例えば外部のパーソナルコンピュータ装置（図示せず）から供給されるオーディオデータを、上述のステップＳ１２で消去した書込領域に書き込み、ステップＳ１７に進む。
【００５７】
ステップＳ１７において、制御回路２８は、新たな書込先の領域を消去して、ステップＳ１４に戻る。すなわち、制御回路部２８は、ステップＳ１４−ステップＳ１５−ステップＳ１７−ステップＳ１４のループにおいて、外部のパーソナルコンピュータから送られてくるオーディオデータの全ての書込が終了するまで、書込先の領域の消去とその領域へのオーディオデータの書込を繰り返す。
【００５８】
ステップＳ１８において、制御回路部２８は、全てのオーディオデータの書込が無事（正常）に終了したので、例えば所謂ＴＯＣを更新して、記録処理を終了し、ステップＳ１９に進む。
【００５９】
ステップＳ１９において、制御回路部２８は、ＴＥＭＰＴＥＭＰ．ＴＭＰファイルを削除して、処理を終了する。
【００６０】
ここで、ユーザが、例えばストップボタンを押す前に、イジェクト挿操作を行い、板状メモリ１を誤ってホルダ１３から引き抜いてしまった後、上述したような警告によって、再び板状メモリ１をホルダ１３に挿入し記録再生装置内飲め装着位置に装着した場合の書込処理（以下、異常終了時の書込処理という。）について、図１１に示すフローチャートを参照しながら説明する。
【００６１】
ステップＳ２１において、制御回路部２８は、ホルダ位置検出スイッチ２３の状態に基づいて、板状メモリ１がホルダ１３がメモリ装着位置に再び装着されたことを検出すると。ステップＳ２２に進む。
【００６２】
ステップＳ２２において、制御回路部２８は、ＴＥＭＰＴＥＭＰ．ＴＭＰファイルが板状メモリ１のルートディレクトリに有るかを判定し、該当するときはステップＳ２３に進み、この異常終了時の書込処理を終了する。すなわち、ＴＥＭＰＴＥＭＰ．ＴＭＰファイルが存在しないときには、図１０に示す書込処理が無事に終了していると判定して、異常終了時の書込処理を行わない。
【００６３】
ステップＳ２３において、制御回路部２８は、未使用領域のデータを検索（サーチ）し、ステップＳ２４に進む。
【００６４】
ステップＳ２４において、制御回路部２８は、検索が消去済み領域に達したを判定し、該当するときはステップＳ２４に進み、該当しないときはステップＳ２３に戻る。すなわち、制御回路部２８は、ステップ２３−ステップＳ２４のループにおいて、データが書き込まれていない領域に達するまで、記録済みの領域を検索する。
【００６５】
ステップＳ２５において、制御回路部２８は、消去済みの直前までの領域のデータをファイルとして復活させ、ステップＳ２６に進む。
【００６６】
ステップＳ２６において、制御回路部２８は、例えば復活したファイルの先頭データに基づいて、それがオーディオデータであるかを、すなわち正しいデータかを判定し、該当しないときはステップＳ２７に進み、該当するときはステップＳ２８に進む。
【００６７】
ステップＳ２７において、制御回路部２８は、復活したファイルを消去して、ステップＳ２８に進む。
【００６８】
ステップＳ２８において、制御回路部２８は、ＴＥＭＰＴＥＭＰ．ＴＭＰファイルを消去した後、この異常終了時の書込処理を終了する。
【００６９】
以上の説明でも明らかなように、この記録再生装置では、オーディオデータなどのストリームデータの書込（記録）を開始するときに、ＴＥＭＰＴＥＭＰ．ＴＭＰファイルを作成し、書込が正常に終了したときに、このＴＥＭＰＴＥＭＰ．ＴＭＰファイルを消去することによって、書込が異常終了したことを簡単に検出することができる。また、ＴＥＭＰＴＥＭＰ．ＴＭＰファイルをルートディレクトリに作成することによって、この検出を簡単且つ高速で行うことができる。
【００７０】
上述した例では、メモリを板状に形成したものを用いたが、このメモリの形状はこの形状に特定されるものではなく、記録再生装置に挿脱可能なものであれば種々の形態を採用することができる。
【００７１】
【発明の効果】
上述したように、本発明に係る記録再生装置は、イジェクト機構によりメモリのイジェクト操作が行われた状態でメモリに設けた接点とコネクタとの電気的接続が維持されるので、データの記録状態を継続し確実にデータの記録を行うことができ、しかも、記録操作モードが選択された状態で警告表示が行われるので、誤ってメモリが抜き取られることが防止でき、記録中のデータを確実に記録することができる。
【図面の簡単な説明】
【図１】本発明に係る記録再生装置に用いられる板状メモリを示す斜視図である。
【図２】上述板状メモリの底面側を示す斜視図である。
【図３】本発明に係る記録再生装置を背面側から見た斜視図である。
【図４】本発明に係る記録再生装置を前面側から見た斜視図である。
【図５】本発明に係る記録再生装置を構成する板状メモリが装着されるホルダを示し、板状メモリがイジェクト状態にある斜視図である。
【図６】ホルダに板状メモリを挿入し、メモリ装着位置に装着した状態を示す斜視図である。
【図７】本発明に係る記録再生装置のイジェクト検出機構を示すブロック図である。
【図８】板状メモリに設けられる端子部を構成する電極とコネクタに設けられる第１の端子群を構成する端子との関係を示す斜視図である。
【図９】記録操作モードが選択された状態でイジェクト操作が行われた状態を示すフローチャートである。
【図１０】メモリに対するデータの記録手順を示すフローチャートである。
【図１１】異常終了時が行われた後にメモリにデータを書込処理する手順を示すフローチャートである。
【符号の説明】
１  板状メモリ、  ３  板状メモリの端子部、  １２  ハウジング、  １３  ホルダ、  ２１  イジェクトレバー、  ２３  イジェクト検出スイッチ、  ２８制御回路部、  ２９  表示部、  ３０  警告音発生デバイス、  ３１  メモリ挿脱口。
【図１】
0004277386.tif 000002
【図２】
0004277386.tif 000003
【図３】
0004277386.tif 000004
【図４】
0004277386.tif 000005
【図５】
0004277386.tif 000006
【図６】
0004277386.tif 000007
【図７】
0004277386.tif 000008
【図８】
0004277386.tif 000009
【図９】
0004277386.tif 000010
【図１０】
0004277386.tif 000011
【図１１】
0004277386.tif 000012